(57)【要約】【課題】レンズ鏡筒を繰り出した時においても見栄えが悪くならないようにする。【解決手段】ネジ孔（３１）を有する外周部品（３０）と、外周部品（３０）のネジ孔（３１）より径の大きい貫通孔（１１）を有する中間部品（１０）と、外周部品（３０）のネジ孔（３１）に螺合する止めネジ（４０）が、中間部品（１０）の貫通孔（１１）を通って、中間部品（１０）の内側に設けられた内周部品（２０）を押圧する。【選択図】図１
2010066615.tif 000002
【特許請求の範囲】
【請求項１】
ネジ孔を有する外周部品と、
前記外周部品のネジ孔より径の大きい貫通孔を有する中間部品と、
前記外周部品の前記ネジ孔に螺合する止めネジが、前記中間部品の前記貫通孔を通って、前記中間部品の内側に設けられた内周部品を押圧することを特徴とするレンズ鏡筒。
【請求項２】
前記外周部品は外観部品であることを特徴とする請求項１記載のレンズ鏡筒。
【請求項３】
前記外周部品は、前記中間部品に対して回転不能に取り付けられていることを特徴とする請求項１又は２記載のレンズ鏡筒。
【請求項４】
前記中間部品と前記内周部品とは螺合によって取り付けられており、前記止めネジの先端が前記内周部品の前記螺合部を押圧していることを特徴とする請求項１〜３のいずれか１項記載のレンズ鏡筒。
【請求項５】
請求項１〜４のいずれか１項記載のレンズ鏡筒と、このレンズ鏡筒が装着されるカメラ本体とを備えていることを特徴とするカメラ。
【発明の詳細な説明】
【技術分野】
【０００１】
この発明はレンズ鏡筒及びカメラに関する。
【背景技術】
【０００２】
従来、レンズ枠取付部に径方向へ延びる穴を形成し、その穴を介して接眼レンズ内枠にビスをねじ込み、接眼レンズ内枠に対して視度環を光軸周りに回転不能及び光軸方向へ移動不能に固定した光学機器が知られている。この光学機器ではビスがねじ込まれた後、レンズ枠取付部の外周面には円筒状の目当ての胴部が被せられる。そのため、光学機器の外部にビスが露出せず、光学機器の外観はすっきりとし、見栄えが良くなる。
【特許文献１】特開平８−１６０４９４号公報
【発明の開示】
【発明が解決しようとする課題】
【０００３】
これに対し、組立に際してレンズ移動枠の外周面を覆うカバーリングを予めフィルタリングに組み付けておく必要のあるレンズ鏡筒では、レンズ移動枠にビスをねじ込むためには、ビスを通すための穴をカバーリングに開けておかなければならない。この穴はレンズ鏡筒を繰り出した時に外部に露出するため、穴が大きい場合にはレンズ鏡筒の外観が損なわれるおそれがある。
【０００４】
この発明はこのような事情に鑑みてなされたもので、その課題はレンズ鏡筒を繰り出した時においても見栄えが悪くならないようにすることである。
【課題を解決するための手段】
【０００５】
上記課題を解決するため請求項１記載の発明は、ネジ孔を有する外周部品と、前記外周部品のネジ孔より径の大きい貫通孔を有する中間部品と、前記外周部品の前記ネジ孔に螺合する止めネジが、前記中間部品の前記貫通孔を通って、前記中間部品の内側に設けられた内周部品を押圧することを特徴とする。
【０００６】
請求項２に記載の発明は、請求項１記載のレンズ鏡筒において、前記外周部品は外観部品であることを特徴とする。
【０００７】
請求項３に記載の発明は、請求項１又は２記載のレンズ鏡筒において、前記外周部品は、前記中間部品に対して回転不能に取り付けられていることを特徴とする。
【０００８】
請求項４に記載の発明は、請求項１〜３のいずれか１項記載のレンズ鏡筒において、前記中間部品と前記内周部品とは螺合によって取り付けられており、前記止めネジの先端が前記内周部品の前記螺合部を押圧していることを特徴とする。
【０００９】
請求項５に記載の発明は、請求項１〜４のいずれか１項記載のレンズ鏡筒と、このレンズ鏡筒が装着されるカメラ本体とを備えていることを特徴とするカメラである。
【発明の効果】
【００１０】
この発明によれば、レンズ鏡筒を繰り出した時においても見栄えが悪くならないようにすることができる。
【発明を実施するための最良の形態】
【００１１】
以下、この発明の実施の形態を図面に基づいて説明する。
【００１２】
図１はこの発明の一実施形態に係るレンズ鏡筒の上半分の断面を示す概念図である。
【００１３】
レンズ鏡筒１は、フィルタ（図示せず）を取り付け可能なフィルタネジを有するフィルタリング（中間部品）１０とフォーカシングレンズ２１を保持するレンズ移動枠（内周部品）２０とレンズ鏡筒１の見栄えを良くする外観部品としてのカバーリング（外周部品）３０とレンズ移動枠２０に対するフィルタリング１０の回転を阻止するための止めネジ４０と距離リング５０と操作リング５５と固定筒６０と駆動ピン７０とを備えている。
【００１４】
フィルタリング１０はプラスチック製であり、フィルタリング１０は金属製のレンズ移動枠２０に螺合によって取り付けられている。フィルタリング１０にはレンズ移動枠２０に固定される止めネジ４０を通す貫通孔１１が形成されている。貫通孔１１の径は止めネジ４０の径より大きい。
【００１５】
カバーリング３０は金属製であり、フィルタリング１０に装着されている。カバーリング３０の内周面にはフィルタリング１０の外周面に形成された突起１５と係合する切り欠き３５が形成されている。この突起１５と切り欠き３５との係合によってカバーリング３０のフィルタリング１０に対する光軸周りの回転が阻止される。
【００１６】
また、カバーリング３０にはねじ孔３１が形成されている。ねじ孔３１は貫通孔１１と対向する。ねじ孔３１には止めネジ４０が螺合している。ねじ孔３１の中心軸と貫通孔１１の中心軸とはほぼ一致している。
【００１７】
止めネジ４０の後端にはすり割りが形成され、先端（レンズ移動枠２０を押す側）はとがった形状となっている。ねじ孔３１にねじ込まれた止めネジ４０の先端が貫通孔１１を通ってレンズ移動枠２０の螺合部２５（フィルタリング１０とレンズ移動枠２０とが螺合する部分）に押圧されている。
【００１８】
距離リング５０は外部から手で光軸周りに回転可能であり、フォーカシングを行うための環状の操作部材である。距離リング５０の外周面５０ｂの一部は外部へ露出している。距離リング５０の内周面５０ａには光軸方向Ｌに沿って延びる直進溝５２が形成されている。距離リング５０の材料としては金属、プラスチック等を使用する。
【００１９】
操作リング５５は例えばゴム（弾性材料）製であり、距離リング５０の外周面５０ｂに装着されている。
【００２０】
固定筒６０は距離リング５０を光軸周りに回転可能に保持する。固定筒６０は筒状部６０Ａとこの筒状部６０Ａに螺合する環状部６０Ｂとで構成されている。筒状部６０Ａには直進溝５２とクロスするカム溝６２が形成されている。直進溝５２の幅とカム溝６２の幅とは同じである。また、固定筒６０の後端にはカメラ本体８０側のマウント（図示せず）に装着するためのマウント６１が形成されている。
【００２１】
固定筒６０の内周面には光軸Ｌ方向へ移動可能にレンズ移動枠２０が設けられている。
【００２２】
駆動ピン７０は頭部７０ｂとねじ部７０ｃとで構成されている。ねじ部７０ｃはレンズ移動枠２０の外周面（カメラ本体８０側）に形成されためねじ２２にねじ込まれ、頭部７０ｂはカム溝６２を通って直進溝５２に達し、両溝６２，５２に対して摺動可能に係合している。駆動ピン７０は位置Ｐ１と位置Ｐ２との間を移動可能である。
【００２３】
次に、レンズ鏡筒１の組立手順を説明する。
【００２４】
予めカバーリング３０をフィルタリング１０に組み付けておく。カバーリング３０の切り欠き３５とフィルタリング１０の突起１５との係合により組み付けたときにねじ孔３１と貫通孔１１とが一致する。
【００２５】
まず、固定筒６０の内周面６０ａにレンズ移動枠２０を装着する。
【００２６】
次に、カム溝６２の幅の中心とレンズ移動枠２０のめねじ２２の中心とを一致させる。
【００２７】
その後、カム溝６２から駆動ピン７０を挿入し、ドライバ（図示せず）を用いて駆動ピン７０のねじ部７０ｃをめねじ２２にねじ込む。
【００２８】
次に、固定筒６０の筒状部６０Ａの外周面６０ｂに距離リング５０を装着する。
【００２９】
その後、筒状部６０Ａに環状部６０Ｂをねじ込む。
【００３０】
次に、操作リング５５を距離リング５０の外周面５０ｂに粘着テープ（図示せず）等によって固定する。
【００３１】
次に、カバーリング３０を組み付けたフィルタリング１０をレンズ移動枠２０にねじ込む。
【００３２】
その後、レンズ移動枠２０を引き出し、止めネジ４０の先端が貫通孔１１を介してレンズ移動枠２０の螺合部２５に食い込むまでねじ孔３１に止めネジ４０をねじ込み、止めネジ４０の先端によってレンズ移動枠２０の螺合部２５を押圧する。その結果、フィルタリング１０がレンズ移動枠２０に固定される。
【００３３】
このとき、止めネジ４０の後端面（すり割りのある面）はカバーリング３０の外周面とほぼ面一になる。
【００３４】
以上の手順を経てレンズ鏡筒１の組立が完成する。
【００３５】
次に、レンズ鏡筒１の動作について説明する。
【００３６】
まず、操作リング５５を手で光軸周りに回転させる。距離リング５０と操作リング５５とは一体的に結合しているので、距離リング５０が操作リング５５と一体に回転する。また、レンズ移動枠２０に固定された駆動ピン７０は直進溝５２とカム溝６２とに摺動可能に係合している。したがって、距離リング５０が光軸周りに回転したとき、レンズ移動枠２０は直進溝５２によってフォーカシングレンズ２１と一体にカム溝６２に沿って光軸Ｌ方向へ移動し、フォーカシングが行われる。
【００３７】
この実施形態によれば、止めネジ４０によってカバーリング３０の外周面がほぼ面一になるように塞がれるので、フォーカシング時にレンズ鏡筒１を引き出したときであってもカバーリング３０の表面に凹凸が生じず、レンズ鏡筒１の外観の見栄えが損なわれない。また、貫通孔１１の直径を止めネジ４０の直径より大きく形成しているので、その加工に厳しい加工精度を必要としない。更に、止めネジ４０によってフィルタリング１０のレンズ移動枠２０に対する回転方向の移動だけでなく光軸Ｌ方向の移動も阻止される。
【００３８】
なお、上記実施形態は本発明をフォーカシングレンズ２１を保持するレンズ鏡筒１に適用したが、ズームレンズを保持するレンズ鏡筒に適用してもよい。
【図面の簡単な説明】
【００３９】
【図１】図１はこの発明の一実施形態に係るレンズ鏡筒の上半分の断面を示す概念図である。
【符号の説明】
【００４０】
１：レンズ鏡筒、１０：フィルタリング（中間部品）、１１：貫通孔、２０：レンズ移動枠（内周部品）、２５：螺合部、３０：カバーリング（外周部品）、３１：ねじ孔、４０：止めネジ、８０：カメラ本体。
【図１】
2010066615.tif 000003